(57)【要約】【課題】  宅内の有線または無線ＬＡＮ、高品位映像の無線伝送を利用したコンテンツの伝送の際に、伝送経路上に障害が発生し伝送性能が劣化した時でもコンテンツ受信装置では映像品質の劣化を低減できるコンテンツ送信装置、コンテンツ受信装置を提供する。【解決手段】  ある一定の伝送経路でコンテンツの伝送中に、経路上に障害が発生しその伝送性能が劣化した時に、コンテンツ送信装置はコンテンツ受信装置へ向けて全ての伝送経路にコンテンツデータを送信する。一方コンテンツ受信装置は全ての伝送経路からコンテンツデータを受信し、この中で一番早く到達したコンテンツデータを選択し受信処理を行なう。【選択図】図１
2010278799.tif 000002
【特許請求の範囲】
【請求項１】
コンテンツ受信装置へ向けて少なくとも２つ以上のコンテンツ伝送経路を有し、
コンテンツデータを蓄積するコンテンツ蓄積手段と、
前記コンテンツ伝送経路の経路状態を監視する伝送経路監視手段と、
前記コンテンツ蓄積手段のコンテンツデータをコンテンツ伝送経路に出力するコンテンツ送信制御手段とを具備し、
前記コンテンツ送信制御手段は、第１のコンテンツ伝送経路でコンテンツ受信装置へ向けてコンテンツの伝送中に、前記伝送経路監視手段から前記第１のコンテンツ伝送経路に障害が発生した内容の通知を受信した場合に、コンテンツ受信装置への複数のコンテンツ伝送経路へ向けてコンテンツを送信することを特徴とするコンテンツ送信装置。
【請求項２】
請求項１記載のコンテンツ送信装置において、
コンテンツ送信制御手段は、コンテンツ受信装置への複数のコンテンツ伝送経路へ向けてコンテンツを送信する際、シーケンス番号を付加してコンテンツを送信することを特徴とするコンテンツ送信装置。
【請求項３】
請求項１記載のコンテンツ送信装置において、
前記コンテンツ送信制御手段は、コンテンツ受信装置へ向けて複数のコンテンツ伝送経路にコンテンツを送信することを通知する制御信号を送信することを特徴としたコンテンツ送信装置。
【請求項４】
請求項１記載のコンテンツ送信装置において、
前記コンテンツ送信制御手段は、複数のコンテンツ伝送経路に対して分散してコンテンツを送信することを特徴としたコンテンツ送信装置。
【請求項５】
請求項１乃至請求項４のいずれか１項に記載のコンテンツ送信装置において、
前記伝送経路監視手段は、ビットレート、データエラー率、ビットエラー率、データ送信遅延時間、送信電波強度の少なくとも１つの変化により前記第１のコンテンツ伝送経路に障害が発生したことを検知し、上記コンテンツ送信制御手段へ通知することを特徴としたコンテンツ送信装置。
【請求項６】
コンテンツ送信装置からコンテンツを受信する少なくとも２つ以上のコンテンツ伝送経路を有し、
前記コンテンツ伝送経路の経路状態を監視する伝送経路監視手段と、
前記コンテンツ伝送経路よりコンテンツを受信するコンテンツ送信制御手段とを具備し、
前記コンテンツ受信制御手段は、第１のコンテンツ伝送経路でコンテンツ送信装置からコンテンツを受信中に、前記伝送経路監視手段から前記第１のコンテンツ伝送経路に障害が発生した内容の通知を受信した場合に、複数のコンテンツ伝送経路からコンテンツを受信することを特徴とするコンテンツ受信装置。
【請求項７】
請求項６記載のコンテンツ受信装置において、
前記コンテンツ受信制御手段は、複数のコンテンツ伝送経路から受信したコンテンツの中で、前記コンテンツ受信制御手段に一番早く到達したデータを受信処理することを特徴としたコンテンツ受信装置。
【請求項８】
請求項７記載のコンテンツ受信装置において、
前記コンテンツ受信制御手段は、受信したコンテンツに対してコンテンツ伝送経路毎に到達順位の統計を取得し、到達順位の上位回数が最も多いコンテンツ伝送経路からのみコンテンツ受信処理を行なうことを特徴としたコンテンツ受信装置。
【発明の詳細な説明】
【技術分野】
【０００１】
本発明は、コンテンツを伝送する際、伝送経路上で障害が発生しても映像品質を劣化させないコンテンツ送信装置、コンテンツ受信装置に関するものである。
【背景技術】
【０００２】
近年の無線伝送技術の発展に伴い、ＨＤ（Ｈｉｇｈ  Ｄｅｆｉｎｉｔｉｏｎ）映像の無線伝送が可能になってきた。高い伝送速度を有する無線ＬＡＮ（Ｌｏｃａｌ  Ａｒｅａ  Ｎｅｔｗｏｒｋ）の規格として２．４ＧＨｚ帯の電波を用いるＩＥＥＥ８０２．１１ｂや更なる伝送速度の高速化を図ったＩＥＥＥ８０２．１１ｇ、５ＧＨｚ帯の電波を用いるＩＥＥＥ８０２．１１ａがある。これらの無線ＬＡＮ規格では映像を十分に扱えるだけの伝送速度を備えており、ＰＣで用いるファイル等のデータ転送以外に、映像を扱う民生機器などに組み込んで、有線ケーブルの配線を不要として映像信号を無線伝送する用途に使用することが考えられる。
【０００３】
無線通信では、送受信されるコンテンツのビットレート（例えば、ＨＤ映像の時は２４Ｍｂｐｓ、ＳＤ映像の時は８Ｍｂｐｓ等）により、帯域を確保して確実にコンテンツを送受信することができるようになる。特許文献１には、サーバに複数のコンテンツデータおよびそれぞれのコンテンツデータに対応するコンテンツデータ送信に必要な無線帯域情報を記憶し、無線端末によりコンテンツデータが選択されるとサーバは必要な無線帯域情報を無線端末に送信し、該無線端末は、これに基づいて無線基地局に対し帯域変更要求を送信し、無線基地局は、要求された帯域に変更して、無線コネクションの帯域変更終了後に無線端末に帯域変更通知を送信し、該帯域変更通知を受信した無線端末は、サーバに対して帯域変更完了通知を送信し、該帯域変更完了通知を受信したサーバは、無線端末に対し該コンテンツデータの送信開始をするように構成するとある。
【先行技術文献】
【特許文献】
【０００４】
【特許文献１】特開２００２−２４７１３１号公報
【発明の概要】
【発明が解決しようとする課題】
【０００５】
しかしながら、特開２００２−２４７１３１号公報によると、無線基地局に対し帯域変更要求を送信し、無線基地局は要求された帯域に変更するとあるが、帯域が混雑していて変更が不可能であった場合、確実にコンテンツを送受信することができる保障はない。
【課題を解決するための手段】
【０００６】
このような問題を回避するためには、ある一定の伝送経路でコンテンツの伝送中に、経路上に障害が発生しその伝送性能が劣化した時に、コンテンツ送信装置はコンテンツ受信装置へ向けて全ての伝送経路にコンテンツデータを送信する。一方コンテンツ受信装置は全ての伝送経路からコンテンツデータを受信し、この中で一番早く到達したコンテンツデータを選択し受信処理を行なう。
【発明の効果】
【０００７】
宅内の有線または無線ＬＡＮ、高品位映像の無線伝送を利用したコンテンツの伝送の際に、伝送経路上に障害が発生し伝送性能が劣化しても、映像品質を劣化させない効果がある。
【図面の簡単な説明】
【０００８】
【図１】本発明のコンテンツ送信装置およびコンテンツ受信装置の構成を示す図。
【図２】本発明のコンテンツ送信装置の処理フローを示す図。
【図３】本発明のコンテンツ受信装置の処理フローを示す図。
【図４】本発明の伝送経路上を伝送するコンテンツデータの様子を示す図。
【図５】本発明の３つの伝送経路を持つ構成の一例を示す図。
【図６】本発明の第２実施例における伝送経路上を伝送するコンテンツデータの様子を示す図。
【図７】本発明のコンテンツ受信装置において伝送経路を選択した回数の統計を示す図。
【発明を実施するための形態】
【０００９】
実施の形態を図を用いて説明する。
【実施例１】
【００１０】
図１は第一実施の形態であるコンテンツ送信装置１００およびコンテンツ受信装置２００の構成の例を示したものである。コンテンツ送信装置１００において、１０１はコンテンツ受信装置２００へ向けて送信するコンテンツの伝送経路を制御するコンテンツ送信制御回路、１０２は伝送経路１または伝送経路２、或いはその両方の伝送状態を監視する伝送経路監視回路、１０３はパソコンなどのネットワーク機器を接続するＬＡＮ端子、１０４はアンテナ（図示せず）等から取得したコンテンツを蓄積するコンテンツ蓄積回路である。
【００１１】
コンテンツ受信装置２００において、２０１はコンテンツ送信装置１００からコンテンツを受信する際、伝送経路を選択しコンテンツの受信処理を行なうコンテンツ受信制御回路、２０２は伝送経路１または伝送経路２、或いはその両方の伝送状態を監視する伝送経路監視回路、２０３はパソコンなどのネットワーク機器を接続するＬＡＮ端子である。
【００１２】
本実施例では、液晶テレビやプラズマテレビにコンテンツ受信装置２００が内蔵されているものとする。なお、コンテンツ受信装置２００は外付けでも構わない。３００は無線送信機、４００は無線受信機であり、コンテンツ送信装置１００がコンテンツ受信装置２００へコンテンツを伝送する際、無線で伝送することができる装置である。無線送信機３００と無線受信機４００との無線伝送には、例えばＺｅｒｏＷｉｒｅやＷＨＤＩ（Ｗｉｒｅｌｅｓｓ  Ｈｏｍｅ  Ｄｉｇｉｔａｌ  Ｉｎｔｅｒｆａｃｅ）、ＷｉｒｅｌｅｓｓＨＤ等の高品位映像を送受信する規格を用いる。
【００１３】
無線送信機３００とコンテンツ送信装置１００、および無線受信装置４００とコンテンツ受信装置２００とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルで接続される。５００と６００はアクセスポイントであり、ルータ７００を経由して無線接続される。
【００１４】
コンテンツ送信装置１００からコンテンツ受信装置２００へ向けてコンテンツを伝送する際には、コンテンツ送信装置１００に接続された無線送信機３００から無線受信機４００経由でコンテンツ受信装置２００へ高品位映像を送受信する規格を用いた伝送経路１と、ＬＡＮ端子１０３に接続されたアクセスポイント６００、ルータ７００、アクセスポイント５００を経由してＬＡＮ端子２０３にＷＬＡＮ（Ｗｉｒｅｌｅｓｓ  ＬＡＮ）を使用した伝送経路２の２つの経路が存在する。
【００１５】
本実施例の特徴は、伝送経路１において高品位映像を送受信しコンテンツ受信装置２００で視聴している最中に障害が発生し、伝送経路監視回路１０２において伝送性能に劣化が生じたことを検知した場合、コンテンツ送信制御回路１０１は伝送経路１に対して伝送しているコンテンツを伝送経路２に対しても伝送する。
【００１６】
コンテンツ受信制御回路２０１は、伝送経路１経由で伝送されたコンテンツと伝送経路２経由で伝送されたコンテンツのうち、より早く到達した経路からのコンテンツを取得し、これを処理することで、コンテンツ受信装置２００における画像品質の劣化を低減するものである。
【００１７】
本実施例について更に詳しく説明する。
図２はコンテンツ送信装置１００の処理のフローの例を示す図である。コンテンツ送信装置１００はコンテンツ受信装置２００へ向けて、伝送経路１を使用してコンテンツの伝送（Ｓ１００）を行なう。伝送経路１を使用してコンテンツの伝送を行なっている最中に、人間が伝送経路１上に立ち止まったり、ソファー等の障害物により伝送経路１の電波が遮蔽されることにより電波障害が発生（Ｓ１０１）すると、該伝送経路１の状態を監視していた伝送経路監視回路１０２は、状態の変化を検知（Ｓ１０２）し、コンテンツ送信制御回路１０１へ通知（Ｓ１０３）する。
【００１８】
伝送経路監視回路１０２による伝送経路１の状態の監視は、ビットレートの変化、データエラー率，ビットエラー率，データ送信遅延時間、送信電波強度等があるが、本実施例では特に限定しない。伝送経路監視回路１０２より通知を受信したコンテンツ送信制御回路１０１は、全ての伝送経路を経由してコンテンツ受信装置２００へ向けて制御開始信号を発信（Ｓ１０４）する。これにより、コンテンツ受信装置２００はコンテンツ送信装置１００から全ての伝送経路を経由してコンテンツが伝送されることを認識する。
【００１９】
コンテンツ送信制御回路１０１は、伝送するコンテンツにシーケンス番号を付与（Ｓ１０５）して、全ての伝送経路へ向けてコンテンツを送信する。本実施例の場合、伝送経路１と伝送経路２へコンテンツを伝送（Ｓ１０６）する。コンテンツ受信装置２００は、シーケンス番号付きのコンテンツを受信し、詳細は後述するが、コンテンツ受信制御回路２０１でシーケンス番号毎に一番早く到着したコンテンツを採用し、受信処理を行なう。
【００２０】
なお、他伝送経路から遅延して届いた同一シーケンス番号を持つコンテンツを受信したときは、当該コンテンツを無視する。ここで、伝送経路１上で電波遮蔽を行なっていた障害物が無くなり電波障害が回復（Ｓ１０７）した時、伝送経路監視回路１０２はコンテンツ送信制御回路１０１へ伝送経路１が正常に戻った旨の通知（Ｓ１０８）を行い、該通知を受信したコンテンツ送信制御回路１０１は、全ての伝送経路を経由してコンテンツ受信装置２００へ向けて制御終了信号を発信（Ｓ１０９）し、伝送経路１に対してのみコンテンツを伝送することで、障害が発生する前の状態に戻る。
【００２１】
図３にコンテンツ受信装置２００の処理フローの例を示す。コンテンツ受信装置２００はコンテンツ送信装置１００より伝送経路１を使用してコンテンツを受信（Ｓ２００）している。コンテンツ受信中に障害物による電波が遮蔽されることにより電波障害が発生（Ｓ２０１）した場合、コンテンツ送信装置１００より制御開始信号を受信（Ｓ２０２）し、コンテンツ受信制御回路２０１は、全ての伝送経路からのコンテンツ受け入れ態勢をとる。
【００２２】
コンテンツ受信制御回路２０１は、伝送経路１と伝送経路２からコンテンツを受信（Ｓ２０３）すると、同一シーケンス番号のコンテンツの中から、一番早く到達したコンテンツを選択（Ｓ２０４）し受信処理を行なう。ただし、一番早く到達するコンテンツは、常に同じ伝送経路とは限らないので、コンテンツデータの受信毎に受信する伝送経路が異なることもある。
【００２３】
本実施例では、コンテンツデータ受信毎に一番速く到達したコンテンツの受信処理を行なうので、このような問題も対応可能である。電波障害が回復（Ｓ２０５）し、コンテンツ送信装置１００より制御終了信号を受信（Ｓ２０６）した時、コンテンツ受信制御回路２０１は、伝送経路１からのみコンテンツを受信（Ｓ２０７）する。
【００２４】
図４に伝送経路上を伝送するコンテンツの様子の一例を示す。８０１〜８０７は伝送されるコンテンツデータを９０１は制御開始信号、９０２は制御終了信号である。コンテンツデータ８０１と８０２は、コンテンツ受信装置２００へ向けて伝送経路１を正常に伝送している。電波障害が発生し、コンテンツデータ８０３に遅延が発生していることを伝送経路監視回路１０２が検知すると、コンテンツ送信制御回路１０１は制御開始信号９０１を全ての伝送経路を経由してコンテンツ受信装置２００へ向けて送信し、伝送経路１と伝送経路２の両方にコンテンツデータ８０４から８０６を送信する。
【００２５】
図４において、コンテンツデータ８０４から８０６は伝送経路２が伝送経路１より早くコンテンツ受信装置２００に到達するため、コンテンツ受信制御回路２０１は伝送経路２からコンテンツデータ８０４から８０６を選択し受信処理を行なう。なお、伝送経路１から受信するコンテンツデータ８０４から８０６は、先に伝送経路２からコンテンツデータの受信処理を行なっているので破棄する。
【００２６】
伝送経路監視回路１０２はコンテンツデータ８０６の伝送状態を監視し、正常な伝送であることが確認できたならば、コンテンツ送信装置１００は全ての伝送経路を経由してコンテンツ受信装置２００へ向けて制御終了信号９０２を送信し、コンテンツデータ８０７以降は伝送経路１を使用して伝送を行なう。
【００２７】
図５は本実施例において３つの伝送経路を使用した場合の一例を示した構成図である。上記説明した伝送経路１、伝送経路２に加えてＰＬＣ（Ｐｏｗｅｒ  Ｌｉｎｅ  Ｃｏｍｍｕｎｉｃａｔｉｏｎｓ）を経由してコンテンツを伝送する経路である伝送経路３がある場合について説明する。
【００２８】
８００と９００はＰＬＣモデムで、たとえば８００がＰＬＣモデム親で９００がＰＬＣモデム子である。上記したように伝送経路１で伝送中に電波障害が発生して伝送性能が劣化した時、コンテンツ送信制御回路１０１は伝送経路２と伝送経路３にコンテンツデータを伝送する。一方コンテンツ受信装置２００はコンテンツ受信制御回路２０１で電波障害が発生した後に伝送経路１と伝送経路２と伝送経路３から同じコンテンツデータを受信し、上記伝送経路の中で一番早く到達したコンテンツデータの受信処理を行なう。
【００２９】
以上、説明したように本発明の実施例では、ある一定の伝送経路でコンテンツの伝送中に、経路上に障害が発生しその伝送性能が劣化した時に、コンテンツ送信装置１００はコンテンツ受信装置２００へ向けて全ての伝送経路にコンテンツデータを送信する。一方コンテンツ受信装置２００は全ての伝送経路からコンテンツデータを受信し、この中で一番早く到達したコンテンツデータを選択し処理を行なう。
【００３０】
なお、本実施例では無線伝送について説明してきたが、有線／無線を問わない。また、コンテンツ蓄積回路に蓄積されたコンテンツの伝送について説明してきたが、ライブ映像や、アクトビラ等のインターネットの映像でも構わない。
【００３１】
高品位映像を送受信する規格を用いた伝送を行なう無線送信機３００と無線受信機４００はコンテンツ送信装置１００やコンテンツ受信装置２００に内蔵されていても構わない。また、無線送信機３００はコンテンツ送信装置１００を内蔵したセットトップボックスに内蔵されていても構わない。また、無線受信機４００はコンテンツ受信装置２００を内蔵した液晶テレビやプラズマテレビに内蔵されていても良い。
【００３２】
なお、上記障害が発生した際、コンテンツ送信装置は全ての伝送経路にコンテンツを分散させて伝送しても良い。
図６は全ての伝送経路にコンテンツを分散させて送信させた時の伝送経路の状態を示した図の例である。伝送経路監視回路１０２が伝送経路１上で障害が発生したことを検知した時、コンテンツ送信制御手段１０１は制御開始信号９０１を全ての伝送経路を経由してコンテンツ受信装置２００へ向けて送信する。その後、コンテンツデータ８０４と８０６は伝送経路２へ、コンテンツデータ８０５と８０７は伝送経路３へ、伝送経路毎にコンテンツを分散して伝送する。伝送経路１の障害の回復が確認できたら、コンテンツ送信制御回路１０１は全ての伝送経路を経由してコンテンツ受信装置２００へ向けて制御終了信号９０２を送信して伝送経路１での伝送を再開し、コンテンツデータ８０９を伝送する。
【００３３】
以上のようにコンテンツを分散させることで、特定の伝送経路に負担を掛けることなくコンテンツの伝送が可能となる。また、伝送経路監視回路から伝送経路の状態を受信して、伝送経路に重み付けをして先に伝送されるコンテンツデータを優先的に伝送速度が速い伝送経路で伝送することも可能である。
【実施例２】
【００３４】
本実施例の特徴は、ある一定の伝送経路でコンテンツの伝送中に、経路上に障害が発生しその伝送性能が劣化した時にコンテンツ送信装置１００は全ての経路に向けてコンテンツデータを送信し、コンテンツ受信装置２００は最も早くコンテンツデータを受信処理した伝送経路の選択回数の統計を取り、最も多く選択された伝送経路からのみコンテンツデータを受信するようにする。
【００３５】
図７は最も早くコンテンツデータを受信処理した伝送経路の選択回数の統計結果例である。構成は図５に示す３つの伝送経路を使用した場合の一例を示した図である。上記したように伝送経路１において障害が発生した場合、伝送経路１，２，３に向けてコンテンツが伝送される。コンテンツ受信装置２００は伝送経路１，２，３のコンテンツを受信し、コンテンツ受信制御手段２０１によって、伝送経路毎に到達順位の統計を取得する。
【００３６】
図７において、伝送経路２が一番受信処理回数が多いので、本実施例ではコンテンツ受信装置２００は伝送経路２からのデータのみ受信し、他の伝送経路のデータは無視する。なお、コンテンツ送信装置１００へ本通知をすることで、コンテンツ送信装置１００は伝送経路２に限定してコンテンツを伝送することができるので、他の伝送経路に対して伝送する無駄を省略することが可能である。
【００３７】
以上、実施例を説明してきたが、宅内の有線または無線ＬＡＮ、高品位映像の無線伝送を利用したコンテンツの伝送の際に、伝送経路上に障害が発生し伝送性能が劣化しても、コンテンツ送信装置が全ての伝送経路に対してコンテンツを伝送、あるいはコンテンツ受信装置からの通知により、特定の伝送経路に対してコンテンツを伝送することで、映像品質を劣化させることがないコンテンツ送信装置、コンテンツ受信装置を提供することができる。
【産業上の利用可能性】
【００３８】
宅内の有線または無線ＬＡＮ、高品位映像の無線伝送を利用したコンテンツの伝送の際に、伝送経路上に障害が発生し伝送性能が劣化しても、映像品質を劣化させないコンテンツ送信装置、コンテンツ受信装置を提供することができる。
【符号の説明】
【００３９】
１００  コンテンツ送信装置
１０１  コンテンツ送信制御回路
１０２、２０２  伝送経路監視回路
１０３、２０３  ＬＡＮ端子
１０４  コンテンツ蓄積回路
２００  コンテンツ受信装置
２０１  コンテンツ受信制御回路
３００  無線送信機
４００  無線受信機
５００、６００  アクセスポイント
７００  ルータ
８０１〜８０９  コンテンツデータ
９０１  制御開始信号
９０２  制御終了信号
１０００  ＰＬＣモデム親
１１００  ＰＬＣモデム子
Ｓ１００〜Ｓ１１０  コンテンツ送信装置の処理フロー
Ｓ２００〜Ｓ２０７  コンテンツ受信装置の処理フロー
【図１】
2010278799.tif 000003
【図２】
2010278799.tif 000004
【図３】
2010278799.tif 000005
【図４】
2010278799.tif 000006
【図５】
2010278799.tif 000007
【図６】
2010278799.tif 000008
【図７】
2010278799.tif 000009